(57)【要約】【課題】屈曲光学ズームレンズにおいて、レンズ群を高精度に移動させる変倍移動機構を提供し、しかもその変倍移動機構が簡単な構成で、小型にしたレンズユニットを提供することを目的とする。【解決手段】第１の光軸を第２の光軸方向に折り曲げる屈曲部を有し、Ａレンズ群とＢレンズ群が、変倍時にそれぞれの光軸方向に移動可能に構成したレンズユニットにおいて、Ａレンズ群とＢレンズ群とを駆動する一つのアクチュエータと、Ａレンズ群を移動させる第１の駆動機構と、Ｂレンズ群を移動させる第２の駆動機構と、アクチュエータからの駆動力を前記第１の駆動機構と前記第２の駆動機構に同時に伝達する連結部材とを有する。【選択図】図３
2008039884.tif 000002
【特許請求の範囲】
【請求項１】
複数のレンズ群を有し、
少なくとも第１の光軸方向に配置され、被写体からの光束が入射するＡレンズ群と、
前記Ａレンズ群より像側に位置し、第２の光軸方向に配置されたＢレンズ群と、
前記Ａレンズ群と前記Ｂレンズ群の間に位置し、前記第１の光軸を前記第２の光軸方向に折り曲げる屈曲部を有し、
前記Ａレンズ群と前記Ｂレンズ群が、変倍時にそれぞれの光軸方向に移動可能に構成したレンズユニットにおいて、
前記Ａレンズ群と前記Ｂレンズ群とを駆動する一つのアクチュエータと、
前記Ａレンズ群を移動させる第１の駆動機構と、
前記Ｂレンズ群を移動させる第２の駆動機構と、
前記アクチュエータからの駆動力を前記第１の駆動機構と前記第２の駆動機構に同時に伝達する連結部材とを有することを特徴とするレンズユニット。
【請求項２】
前記Ａレンズ群は、非回転で移動し、前記第１の駆動機構は、アーム状の駆動部材を有することを特徴とする請求項１に記載のレンズユニット。
【請求項３】
前記第１の駆動機構もしくは前記第２の駆動機構は、前記連結部材とカム結合していることを特徴とする請求項１又は２に記載のレンズユニット。
【請求項４】
前記連結部材は、支持軸と該支持軸を中心に回転する連結板とを有し、前記支持軸を中心とする連結板の回転により、前記第１の駆動機構及び前記第２の駆動機構に駆動力を与えることを特徴とする請求項１乃至３の何れか１項に記載のレンズユニット。
【請求項５】
前記支持軸は、前記屈曲部と前記Ｂレンズ群との間に配置されていることを特徴とする請求項４に記載のレンズユニット。
【請求項６】
前記連結板の一方の面に前記第１の駆動機構との連結部が形成され、他方の面に前記第２の駆動機構との連結部が形成されていることを特徴とする請求項４又は５に記載のレンズユニット。
【請求項７】
請求項１乃至６のいずれか１項に記載のレンズユニットと前記レンズユニットによって導かれた光を受光する撮像素子とを備えることを特徴とする撮像装置。
【発明の詳細な説明】
【技術分野】
【０００１】
本発明は、レンズユニットおよび撮像装置に関し、特に、折り曲げ光学系の変倍機構を備えるレンズユニットに関する。
【背景技術】
【０００２】
近年、パーソナルコンピュータの普及に伴い、手軽にパーソナルコンピュータに画像を取り込めるデジタルカメラが普及している。また、モバイルコンピュータ、携帯電話、携帯情報端末（ＰＤＡ：Ｐｅｒｓｏｎａｌ  Ｄｉｇｉｔａｌ  Ａｓｓｉｓｔａｎｔ）等の情報処理機器にデジタルカメラを組み込むことも一般化している。このようなデジタルカメラの普及にともない、より小型のデジタルカメラが要望されるようになり、レンズユニットも一層小型にする必要があり、また高倍率のズームレンズが要望され、高倍率のズームレンズに対応できるような変倍機構が必要である。
【０００３】
そこで、レンズユニットを小型にするために、変倍しても撮像レンズの全長が変化せずに、デジタルカメラの奥行き方向を短くして、小型化を図る提案がされている。（特許文献１、２）これらは光路上に屈曲部材を設けて、光路を略９０度折り曲げた後、後続レンズ群で撮像素子上に光学像を形成させるものである。
【０００４】
しかしながら、上記２件の文献においては、確かにレンズユニットが小型になっているが、屈曲部材より撮像素子側のレンズを移動させて変倍しているために撮像レンズの変倍比が小さい。
【０００５】
この課題を解決するために、屈曲部材より撮像素子側のレンズとともに屈曲部材より被写体側のレンズを移動させて変倍を行う高倍率のズームレンズが提案されている。（特許文献３）
【特許文献１】特開２０００−１３１６１０号公報
【特許文献２】特開２００４−６９８０８号公報
【特許文献３】特開２００４−１０２０８９号公報
【発明の開示】
【発明が解決しようとする課題】
【０００６】
ところが、特許文献３に記載されているズームレンズには、高変倍で収差が良好に補正され、高性能である光学系が開示されているが、変倍のために屈曲部材の前後に配置されたレンズを移動させる機構が開示されておらず、また、被写体側のレンズがデジタルカメラから突出し、カメラが大型になる。
【０００７】
本発明は、屈曲光学ズームレンズにおいて、レンズ群を高精度に移動させる変倍移動機構を提供し、しかもその変倍移動機構が簡単な構成で、小型にしたレンズユニットを提供することを目的とする。
【課題を解決するための手段】
【０００８】
上記の課題は次の構成により解決される。
【０００９】
１．
複数のレンズ群を有し、
少なくとも第１の光軸方向に配置され、被写体からの光束が入射するＡレンズ群と、
前記Ａレンズ群より像側に位置し、第２の光軸方向に配置されたＢレンズ群と、
前記Ａレンズ群と前記Ｂレンズ群の間に位置し、前記第１の光軸を前記第２の光軸方向に折り曲げる屈曲部を有し、
前記Ａレンズ群と前記Ｂレンズ群が、変倍時にそれぞれの光軸方向に移動可能に構成したレンズユニットにおいて、
前記Ａレンズ群と前記Ｂレンズ群とを駆動する一つのアクチュエータと、
前記Ａレンズ群を移動させる第１の駆動機構と、
前記Ｂレンズ群を移動させる第２の駆動機構と、
前記アクチュエータからの駆動力を前記第１の駆動機構と前記第２の駆動機構に同時に伝達する連結部材とを有することを特徴とするレンズユニット。
【００１０】
２．
前記Ａレンズ群は、非回転で移動し、前記第１の駆動機構は、アーム状の駆動部材を有することを特徴とする１に記載のレンズユニット。
【００１１】
３．
前記第１の駆動機構もしくは前記第２の駆動機構は、前記連結部材とカム結合していることを特徴とする１又は２に記載のレンズユニット。
【００１２】
４．
前記連結部材は、支持軸と該支持軸を中心に回転する連結板とを有し、前記支持軸を中心とする連結板の回転により、前記第１の駆動機構及び前記第２の駆動機構に駆動力を与えることを特徴とする１乃至３の何れか１項に記載のレンズユニット。
【００１３】
５．
前記支持軸は、前記屈曲部と前記Ｂレンズ群との間に配置されていることを特徴とする４に記載のレンズユニット。
【００１４】
６．
前記連結板の一方の面に前記第１の駆動機構との連結部が形成され、他方の面に前記第２の駆動機構との連結部が形成されていることを特徴とする４又は５に記載のレンズユニット。
【００１５】
７．
１乃至６のいずれか１項に記載のレンズユニットと前記レンズユニットによって導かれた光を受光する撮像素子とを備えることを特徴とする撮像装置。
【発明の効果】
【００１６】
第１の光軸方向に配置され、被写体からの光束が入射するＡレンズ群と、Ａレンズ群より像側に位置し、第２の光軸方向に配置されたＢレンズ群と、Ａレンズ群とＢレンズ群の間に位置し、第１の光軸を第２の光軸方向に折り曲げる屈曲部を有し、Ａレンズ群とＢレンズ群が、変倍時にそれぞれの光軸方向に移動可能に構成したレンズユニットにおいて、一つのアクチュエータからの駆動力により、Ａレンズ群を移動させる第１の駆動機構と、Ｂレンズ群を移動させる第２の駆動機構とを同時に駆動する連結部材とを有することにより、Ａレンズ群とＢレンズ群を高精度に移動させる変倍移動機構を提供でき、しかもその変倍移動機構が簡単な構成で、小型にしたレンズユニットと撮像装置を提供できる。
【発明を実施するための最良の形態】
【００１７】
以下、本発明の実施形態について図面を参照しながら説明する。デジタルカメラ１の外観を図１に模式的に示す。図１において、（ａ）は斜視図、（ｂ）は背面図である。
【００１８】
デジタルカメラ１は、概ね直方体状のカメラ筐体１０と撮像時にはカメラ筐体１０から突出して使用されるレンズユニット１２を備えている。レンズユニット１２の突出方向を奥行き方向とし、また、カメラ筐体１０の横長方向を横方向、図１の上下方向を縦方向と定める。
【００１９】
デジタルカメラ１は、前面にレンズユニット１２、フラッシュ発光部１３、セルフタイマーランプ１４、背面に表示部１５、モード設定スイッチ１６、十字キー１７、複数の操作キー１８、上面にレリーズボタン１９、電源ボタン２０を備えている。
【００２０】
レンズユニット１２は、ズームレンズであり、使用位置にある時に、レンズの一部がカメラ筐体１０の前面から突出し、広角端から望遠端に変倍するとさらに突出し、残りのレンズ部が後述する屈曲部材により光軸を略直角に折り曲げられ、カメラ筐体１０の内部に横方向に配置されている。また、使用時に突出している一部のレンズは、撮像せずに携帯する非使用時に沈胴して、カメラ筐体１０の内部に収納される収納位置に収められる。
【００２１】
フラッシュ発光部１３は被写体を照明するフラッシュ光を発する。セルフタイマーランプ１４は、セルフタイマー撮像の準備が進行中であることを点灯により示す。
【００２２】
背面にある表示部１５は、液晶表示器から成り、撮像した画像のほか、デジタルカメラ１の設定状況、操作案内等の諸情報を表示する。モード設定スイッチ１６は、スライド式であり、デジタルカメラ１の撮像、再生などの動作モードの設定に用いられる。十字キー１７は、上下左右に４つの接点を有しており、表示部１５に表示されるカーソルの移動に用いられる。また、十字キー１７はレンズユニット１２の焦点距離の調節にも使用される。操作キー１８は、表示部１５に表示する項目の切り換え、表示した項目の選択等、デジタルカメラ１の機能に関する設定に用いられる。レリーズボタン１９は２段階で動作し、レリーズボタン１９の半押し状態で記録する画像の撮像準備の指示と、レリーズボタン１９の全押し状態で記録する画像の撮像の指示に用いられる。
【００２３】
図２にデジタルカメラ１の構成を模式的に示す。デジタルカメラ１は、レンズユニット１２および表示部１５のほか、撮像素子２６、信号処理部２２、記録部２３、操作部２４、撮像レンズ駆動部２５および制御部２７を有している。撮像素子２６はＣＣＤエリアセンサであり、画素ごとの受光量を表す信号を出力する。信号処理部２２は、撮像素子２６の出力信号を処理して、撮像した画像を表す画像データを生成する。記録部２３は、信号処理部２２が生成した画像データを着脱可能な記録媒体２３ａに記録し、また、画像の再生表示のために、記録媒体２３ａから画像データを読み出す。操作部２４は、モード設定スイッチ１６、十字キー１７、操作キー１８、レリーズボタン１９及び電源ボタン２０の総称であり、使用者が操作したボタンに関する情報を制御部２７に伝達する。
【００２４】
撮像レンズ駆動部２５は、ズーム用モータとフォーカス用モータと露出調節するシャッタ・絞り用モータなどモータの駆動制御を行う。撮像レンズ駆動部２５はレンズユニット１２に設けられていても良い。
【００２５】
制御部２７は、制御プログラムに従ってデジタルカメラ１の各部の動作を制御するもので、レリーズボタン１９が半押しされると、露出制御値の設定や焦点調節等の被写体を撮像するための準備動作を実行し、レリーズボタン１９が全押しされると撮像素子２６を露光し、その露光によって得られた画像信号に所定の画像処理を施して記録媒体２３ａに記録する一連の撮像動作を実行する機能を有する。
（第１の実施形態）
第１の実施形態としてのレンズユニット１２の構成について説明する。
【００２６】
図３はレンズユニット１２の広角状態の正面図、図４はレンズユニット１２の広角状態の側面図、図５はレンズユニット１２の望遠状態の側面図、図６と図７は沈胴させる時もしくは起動させる時に第１保持部材を一旦、プリズムを移動させるための位置（プリズム挿脱位置）に移動させた状態の側面図と上面図、図８、図９、図１０はそれぞれ沈胴した状態の正面図、側面図、上面図である。側面図については、第２、第３のレンズ群は図示せずに、第１変倍移動部材と第１レンズ群の動きの説明に用いる。
【００２７】
まず、図３〜図５によりレンズユニット１２の構成を説明する。
【００２８】
撮像レンズは、被写体側から順に、Ａレンズ群としての第１レンズ群８１と、屈曲部材としてのプリズム８５と、第１レンズ群の像側に位置し、Ｂレンズ群としての第２レンズ群８２、および手ぶれ補正レンズ群８３ｔを含む第３レンズ群８３を備えている。第１レンズ群８１は第１の光軸７６上にあり、第２レンズ群８２と第３レンズ群８３は、後続レンズに相当し、第２の光軸７７上にある。撮像レンズは、被写体からの光を撮像素子２６に結像させる。
【００２９】
プリズム８５は、第１レンズ群と第２レンズ群との間にあり、断面が直角二等辺三角形の三角プリズムで、斜面が第１の光軸７６と第２の光軸７７に対して４５度の角度を成すように配置され、第１の光軸７６を第２の光軸７７の方向に略直角に折り曲げる。
【００３０】
変倍は、第１レンズ群８１と第２レンズ群８２と第３レンズ群８３が移動し、フォーカシング時には第３レンズ群８３が移動する。手ぶれ補正レンズ群８３ｔは固定群である。
【００３１】
変倍移動構成を説明する。広角端から望遠端に変倍すると、第１レンズ群８１が被写体側に移動し、第２レンズ群８２がプリズム８５側に移動し、第３レンズ群８３が撮像素子２６側に移動する。
【００３２】
第１レンズ群８１を保持する第１保持部材７１を変倍移動させる構成については、第１レンズ群８１を保持する第１保持部材７１と、第１保持部材７１のガイド溝７１１、７１２に係合しているガイドピン１００ａ、１００ｂを有する駆動アーム１００と、駆動アーム１００とともに第１保持部材７１の姿勢を拘束するための従動アーム１０１とを備え、従動アーム１０１には第１保持部材７１のガイド溝７１３、７１４と契合する従動ピン１０１ａ、１０１ｂを備えている。第１保持部材７１の外側には被写体側にバネ１１０で付勢されている直進筒１０５とを備えている。
【００３３】
第１保持部材７１は角形の筒状の枠体により構成され、駆動アーム１００と従動アーム１０１のコの字状のアームが第１保持部材７１の内面を摺動する構成を取ることで、第１保持部材が光軸７６に沿って移動し、光軸７６の周りで回転運動しないように姿勢を拘束している。第１保持部材７１は、駆動アーム１００が駆動アーム軸１０３を中心に回転することで、この回転力をガイドピン１００ａ、１００ｂにより第１保持部材７１に伝えて、光軸７６に平行に直線移動をする力に変えている。駆動アーム１００の回転力は、アクチュエータである第１モータ１０４と変速ギヤ列１０７及びカム機構を成す連結板１０６によって駆動アーム１００に伝達され、駆動アーム１００に伝達された回転力が第１保持部材の光軸７６方向への移動力に変換され、直進移動する。連結部材３００の周辺の模式的な斜視図を図１１に示す。連結板１０６は、連結部材３００の一部を成し、支持軸３０１を中心に回転する。
【００３４】
直進筒１０５の当接部１０５ｂは直進筒圧縮バネ１１０により第１保持部材７１の底部７１６にバネ付勢されているので、直進筒１０５は第１保持部材７１の移動と共に被写体側に移動し、直進筒１０５の底部１０５ａが筐体７０に当接したところで停止する。直進筒１０５の底部１０５ａが筐体７０に当接し停止した後は、第１保持部材７１が被写体側に移動し、望遠端に到達する。以上のように駆動アーム１００は、第１保持部材７１を移動させる第１変倍移動部材を構成している。
【００３５】
アクチュエータである第１モータ１０４が回転すると、減速ギヤ列１０７で減速された回転駆動力が、連結部材３００の扇形ギヤ部１０８を回転させる。
【００３６】
第１モータ１０４の回転力を伝達する変速ギヤ列１０７の最終ギヤからの回転力が扇形ギヤ部１０８に伝達され、扇形ギヤ部１０８からの回転力は、連結板溝１０９に係合したガイドピン１００ｃにより駆動アーム１００に伝達され、駆動アーム１００が駆動アーム軸１０３を中心に回転すると、ガイドピン１００ａ、１００ｂと係合した第１保持部材７１のガイド溝７１１、７１２を介して、第１保持部材７１を光軸７６方向に直進移動させ、第１保持部材７１が被写体側に繰り出されて、望遠端に至る。第１保持部材７１が直線移動するとガイド溝７１３、７１４と係合する従動アーム１０１の従動ピン１０１ａ、１０１ｂに移動力が伝わり、従動アーム１０１が第１保持部材の動きに連動して動く。この時第１保持部材７１の内側面と従動アーム１０１の外側面が摺動することで、第１保持部材７１が回転しようとする動きを拘束している。
【００３７】
次に、第２保持部材７２の変倍移動の構成については、第１ガイド軸１２０は、第２の光軸７７と平行に配置され、その両端部が筐体７０の壁面７０ｄ、７０ｅに固定されている。また、第１ガイド軸１２０は、ガイド部である第２保持部材７２の摺動ガイド穴７２ａが嵌合し、第２保持部材７２を第２の光軸７７に対して傾かずに第２の光軸７７の方向へ移動できるように案内する。この時、不図示の直進案内溝により第１ガイド軸１２０周りの回転が規制されている。
【００３８】
さらに、第２保持部材７２は第２ばね７２ｂにより第２の光軸７７方向で撮像素子２６側にばね付勢され、第２保持部材７２のガイドピン７２ｆが連結板１０６の変位当接部１０６ａと当接している。連結板１０６の回転により、変位当接部１０６ａがガイドピン７２ｆと常に当接することで、第２保持部材７２が変倍移動する。このように連結板１０６は、第２変倍移動部材であると同時に、第１変倍移動部材と第２変倍移動部材とを連動して動かしている。
【００３９】
また、第３保持部材７３の変倍移動の構成について、第３ガイド軸６１は、第２の光軸７７と平行に配置され、その一端が筐体７０の壁面７０ｄに固定され、その他端が中央の壁面７０ｆに固定され、第３保持部材７３の第３摺動ガイド穴７３ａが嵌合し、第３保持部材７３を第２の光軸７７に対して傾かずに第２の光軸７７の方向へ移動できるように案内する。第３モータ６３の回転軸と結合している第３駆動軸６２は、第２の光軸７７と平行に配置され、その外周面に螺旋状のねじが形成され、第３保持部材７３の係合ねじ７３ｂに螺合し、不図示の直進案内溝により第３ガイド軸６１周りの回転が規制されている。
【００４０】
第３モータ６３が回転すると、第３駆動軸６２のリードにより、第３保持部材７３が撮像素子２６側に移動して望遠端に至る。
【００４１】
動作について説明する。
【００４２】
まず、図４の広角端から図５の望遠端への動作について説明する。
【００４３】
第１モータの駆動により、図４における減速ギヤ列１０７が駆動し、連結部材３００の一部である扇形ギヤ部１０８が連結板軸１３０を中心に回転する。扇形ギヤ部１０８の回転と共に連結板１０６の連結板溝１０９が連結板軸１３０を中心に回転し、この連結板溝１０９に係合しているガイドピン１００ｃが連結板溝１０９に沿って動き、駆動アーム１００が駆動アーム軸１０３を中心に回転する。駆動アーム１００の回転によりガイドピン１００ａ、１００ｂが、ガイドピン１００ａ、１００ｂに係合している第１保持部材７１のガイド溝７１１、７１２に駆動力を伝達し、第１保持部材７１が光軸７６に沿って被写体側に移動する。また、連結板１０６の回転と共に変位当接部１０６ａが第２保持部材７２のガイドピン７２ｆを押し、第１ガイド軸１２０に沿って第２保持部材７２が移動する。また第１保持部材７１の動きと連動して直進筒１０５が当接部１０５ｂが第１保持部材７１の底部７１６と接した状態で被写体側に移動し、直進筒１０５の底部１０５ａが筐体７０と接触するところで停止する。これ以後は第１保持部材７１のみが被写体側に移動する。また、第１保持部材７１の移動に伴い、第１保持部材７１のガイド溝７１３、７１４が移動し、ガイド溝７１３と７１４に係合した従動アーム１０１の従動ピン１０１ａ、１０１ｂが移動する。このように従動アーム１０１の外側の面と第１保持部材７１の内面とを摺動させることで第１保持部材を光軸７６に沿ってスムーズに移動させることができる。このようにして図５に示す望遠端に至る。
【００４４】
次に、第３保持部材７３の変倍動作について、広角状態から第３モータ６３が回転すると、第３駆動軸６２のリードにより、第３保持部材７３は、第３摺動ガイド穴７３ａが第３ガイド軸６１に嵌合し第２の光軸７７の方向に案内されているので、撮像素子２６側に直進移動して望遠端に至る。
【００４５】
次に、沈胴の動作について説明する。
【００４６】
沈胴時には、図６及び図７に示すように第１保持部材７１がプリズム挿脱位置に移動し、次に図８〜図１０に示すようにプリズム保持部材７５が光軸７６、７７と垂直な軸７８で退避し、続いて第１保持部材がプリズム８５が移動して形成される空間に、第１の光軸７６上を移動して収納される。この時第１保持部材７１と第２保持部材７２は連動して移動する。
【００４７】
第１のモータ１０４が駆動すると駆動アーム１００が駆動アーム軸１０３を中心に回転し、第１保持部材７１が広角端（ワイド端）から望遠端（テレ端）までの間にあるプリズム挿脱位置まで移動する（図６、図７参照）。次にプリズム８５を保持したプリズム保持部材（屈曲保持部材）７５を退避位置に退避させる。図８と図９を用いて、プリズム保持部材７５を退避位置に移動させる機構について説明する。プリズム８５を保持するプリズム保持部材７５は、摺動ガイド部２００ｂと摺動ガイド穴２００ａを有し、摺動ガイド穴２００ａは筐体７０に固定された第２ガイド軸１５１と嵌合している。また、摺動ガイド部２００ｂは、第２モータ１５０によって駆動される駆動軸１６０と係合ネジ１６１から成る屈曲移動部材により移動する。係合ネジ１６１に摺動ガイド部２００ｂが連結され、第２モータ１５０の回転により、駆動軸１６０が回転し、その回転により係合ネジ１６１が移動することで、プリズム保持部材７５を第２ガイド軸１５１に沿って移動し、図８、図１０に示す退避位置に退避する。
【００４８】
続いて、第１モータ１０４が駆動し、駆動アーム１００の回転により、第１保持部材７１が沈胴位置（図９、図１０参照）に移動することで、第３保持部材は不図示の規制部材により広角位置より像面側に移動が規制されるようにしても良い。その場合、７２ｆと１０６ａが離れることで沈胴動作が完了する。
【００４９】
起動時については、沈胴動作と逆の順に動く。すなわち、第１保持部材７１がプリズム挿脱位置まで移動する。この時の第１保持部材７１を移動させる駆動アーム１００は第１移動部材となる。次にプリズム保持部材７５が屈曲位置に移動する。続いて所望の変倍位置に変倍動作により移動し、撮影が行われる。
（第２の実施形態）
次に、第２の実施形態としてのレンズユニット３０の構成について説明する。
【００５０】
図１２はレンズユニット３０の広角状態の正面図、図１３はレンズユニット３０の広角状態の側面図、図１４はレンズユニット３０の望遠状態の側面図、図１５はレンズユニット３０の広角状態の上面図、図１６はレンズユニット３０の望遠状態の上面図、図１７は沈胴した状態の正面図でプリズム保持部材が退避した状態を示す要部の図であり、図１８、図１９はそれぞれ沈胴した状態の側面図、上面図である。側面図については、第２、第３のレンズ群は図示せずに、第１変倍移動部材と第１レンズ群の動きの説明に用いる。なお、第１の実施形態と同じ機能の部材には同じ番号を付し、重複する説明は省略する。
【００５１】
第２の実施形態においては、第１の実施形態と比べて主に、直進筒１０５を物体側に付勢する直進筒圧縮バネ１１０を持たず、駆動アーム１００の駆動力を用いて移動させているところ、従動アームが第１従動アーム１０１Ａ、第２従動アーム１０１Ｂの２組あり、それぞれ第１保持部材７１と直進筒１０５の移動時における回転の動きを拘束しているところ、及び連動部材である連結板４００が周囲にギヤ溝を持つ円盤状で両面に駆動軸４０１、４０２を有し、第１モータの回転力を減速ギヤ列１０７を介して、連動部材４００を回転させ、それぞれの駆動軸４０１、４０２で第１レンズ群８１と第２レンズ群８２を連動して駆動させる構造であるところが違う。
【００５２】
図１２に示すレンズユニット３０の構成は、第１の実施形態と同じであり、説明は省略する。
【００５３】
図１２〜図１６を用いて、第１レンズ群８１及び第２レンズ群を変倍移動させる構成について説明する。
【００５４】
第１レンズ群８１を変倍移動させる構成については、第１レンズ群８１を保持する第１保持部材７１と、第１保持部材７１のガイド溝７１１、７１２に契合しているガイドピン１００ａ、１００ｂを有する駆動アーム１００と、駆動アーム１００とともに第１保持部材７１の姿勢を拘束するための第１従動アーム１０１Ａとを備え、第１従動アーム１０１Ａには、第１保持部材７１のガイドピン７１ａ、７１ｂと契合する従動溝７１５ａ、７１５ｂを備えている。第１保持部材７１の外側には直進筒１０５を備えている。
【００５５】
第１保持部材７１は角形の筒状の枠体により構成され、駆動アーム１００と第１従動アーム１０１Ａの略コの字状のアームが第１保持部材７１の内面を摺動する構成をとることで、第１保持部材７１が光軸７６に沿って移動し、回転運動しないように姿勢を拘束している。第１保持部材７１は、駆動アーム１００が駆動アーム軸１０３を中心に回転することで、この回転力をガイドピン１００ａ、１００ｂからガイド溝７１１、７１２に伝えて、第１保持部材７１を光軸７６に平行に直線移動をする力に変えている。駆動アーム１００の回転力は、アクチュエータである第１モータ１０４と変速ギヤ列１０７およびカム機構を成す連結部材である連結板４００によって駆動アーム１００に伝達される。連結板４００の周辺の模式的な斜視図を図２０に示す。連結板４００の周面には、変速ギヤ列１０７の最終ギヤと噛み合うギヤが形成されており、連結板４００の外側の面には、第１保持部材７１のガイド溝６００と契合するガイドピン４０１を備えている。連結板４００が回転することにより、ガイド溝６００から駆動アーム１００に回転力が伝達され、駆動アーム軸１０３を中心に回転する。駆動アーム１００に伝達された回転力が第１保持部材７１の光軸７６方向への移動力に変換され、直進移動する。
【００５６】
また、直進筒１０５は、第１保持部材７１の外側にある角形の筒状の枠体により構成され、第２従動アーム１０１Ｂの略コの字状のアームが直進筒１０５の内面を摺動する構成をとることで、直進筒１０５が光軸７６に沿って移動し、回転運動しないように姿勢を拘束している。直進筒１０５は、駆動アーム１００が駆動アーム軸１０３を中心に回転することで、この回転力をガイドピン１００ａ、１００ｂからガイド溝７１８に伝えて、直進筒１０５を光軸７６に平行に直線移動をする力に変えている。直進筒１０５は、ガイド溝７１８の形状が直線状の部分では第１保持部材７１と共に光軸７６に沿って直進移動し、円弧状の部分では、移動せず、第１保持部材７１のみが移動する。
【００５７】
アクチュエータである第１モータ１０４が回転すると、減速ギヤ列１０７で減速された回転駆動力が、連結板４００の周面のギヤ部を回転させる。
【００５８】
第１モータ１０４の回転力を伝達する変速ギヤ列１０７の最終ギヤからの回転力が連結板４００の周面のギヤ部に伝達され、ギヤ部からの回転力は、連結板４００の外側面に形成されたガイドピン４０１を介して、ガイドピン４０１と契合する駆動アーム１００のガイド溝６００に伝達され、駆動アーム１００が駆動アーム軸１０３を中心に回転する。駆動アーム１００が回転すると、ガイドピン１００ａ、１００ｂと係合した第１保持部材７１のガイド溝７１１、７１２を介して、第１保持部材７１を光軸７６方向に直進移動させ、第１保持部材７１が被写体側に繰り出されて、望遠端に至る。第１保持部材７１が直線移動するとガイドピン７１ａ、７１ｂと契合する従動溝７１５ａ、７１５ｂを介して、第１従動アーム１０１Ａが第１保持部材７１の動きに連動して動く。この時第１保持部材７１の内側面と第１従動アーム１０１Ａの外側面が摺動することで、第１保持部材７１が回転しようとする動きを拘束している。
【００５９】
次に、第２保持部材７２の変倍移動の構成については、第１ガイド軸１２０は、第２の光軸７７と平行に配置され、その両端部が筐体７０の壁面７０ｄ、７０ｅに固定されている。また、第１ガイド軸１２０は、ガイド部である第２保持部材７２の摺動ガイド穴７２ａが嵌合し、第２保持部材７２を第２の光軸７７に対して傾かずに第２の光軸７７の方向へ移動できるように案内する。この時、軸６１と摺動部７２ｂにより第１ガイド軸１２０周りの回転が規制されている。
【００６０】
さらに、第２保持部材７２はカム板５００を備え、カム板５００は、連結板４００の内側の面に形成されたガイドピン４０２と契合するガイド溝５０１を備えている。連結板４００の回転により、ガイドピン４０２とガイド溝５０１を介して、第２保持部材７２が変倍移動する。
【００６１】
このように連結板４００の一方の面に形成したガイドピン４０１と第１保持部材７１のガイド溝６００との連結部と、他方の面に形成したガイドピン４０２と第２保持部材７２のガイド溝５０１との連結部により、第１移動部材７１と第２移動部材７２とを連動して動かしている。
【００６２】
また、第３保持部材７３の変倍移動の構成について、第３ガイド軸６１は、第２の光軸７７と平行に配置され、その一端が筐体７０の壁面７０ｇに固定され、その他端が中央の壁面７０ｆに固定され、第３保持部材７３の第３摺動ガイド穴７３ａが嵌合し、第３保持部材７３を第２の光軸７７に対して傾かずに第２の光軸７７の方向へ移動できるように案内する。第３モータ６３の回転軸と結合している第３駆動軸６２は、第２の光軸７７と平行に配置され、その外周面に螺旋状のねじが形成され、第３保持部材７３の係合ねじ７３ｂに螺合している。軸６４は７３ｇ、７３ｈに固定され、７３ｃと光軸７７方向に案内されている。
【００６３】
第３モータ６３が回転すると、第３駆動軸６２のリードにより、第３保持部材７３が撮像素子２６側に移動して望遠端に至る。
【００６４】
動作について説明する。
【００６５】
まず、図１２、図１３、図１５の広角端から図１４、図１５の望遠端への動作について説明する。
【００６６】
第１モータ１０４の駆動により、図１２における減速ギヤ列１０７が駆動し、連結板４００のギヤ部が回転する。ギヤ部の回転と共に連結板４００の外側の面のガイドピン４０１が回転し、ガイドピン４０１と契合しているガイド溝６００を有する駆動アーム１００が、駆動アーム軸１０３を中心に回転する。駆動アーム１００の回転によりガイドピン１００ａ、１００ｂが、ガイドピン１００ａ、１００ｂに係合している第１保持部材７１のガイド溝７１１、７１２に駆動力を伝達し、第１保持部材７１が光軸７６に沿って被写体側に移動する。また、連結板４００の回転と共に連結板４００の内側の面のガイドピン４０２が第２保持部材７２のカム板５００に形成されたガイド溝５０１を押し、第１ガイド軸１２０に沿って第２保持部材７２が移動する。また、直進筒１０５は、駆動アーム１００のガイドピン１００ａ、１００ｂの動きと連動して、ガイドピン１００ａ、１００ｂと契合するガイド溝７１８により被写体側に移動し、ガイド溝１８の直線部をガイドピン１００ａ、１００ｂが外れた位置で停止する。これ以降は第１保持部材７１のみが被写体側に移動する。また、第１保持部材７１の移動に伴い、第１保持部材７１のガイドピン７１ａ、７１ｂが移動し、ガイドピン７１ａ、７１ｂに係合した第１従動アーム１０１Ａの従動溝７１５ａ、７１５ｂが移動する。また、直進筒１０５の移動に伴い、直進筒１０５のガイドピン１０５ｃ、１０５ｄに係合した第２従動アーム１０１Ｂの従動溝７１６が移動する。
【００６７】
このように第１従動アーム１０１Ａの外側の面と第１保持部材７１の内面とを摺動させることで第１保持部材を光軸７６に沿ってスムーズに移動させることができ、また、第２従動アーム１０１Ｂの外側の面と第１保持部材７１の外側の面とを摺動させることで直進筒１０５を光軸７６に沿ってスムーズに移動させることができる。このようにして図１４、図１６に示す望遠端に至る。
【００６８】
次に、第３保持部材７３の変倍動作について、広角状態から第３モータ６３が回転すると、第３駆動軸６２のリードにより、第３保持部材７３は、第３摺動ガイド穴７３ａが第３ガイド軸６１に嵌合し第２の光軸７７の方向に案内されているので、撮像素子２６側に直進移動して望遠端に至る。
【００６９】
次に、沈胴の動作について説明する。
【００７０】
沈胴時には、図１３及び図１５に示すように第１保持部材７１がプリズム広角位置に移動し、次に図１７〜図１９に示すようにプリズム保持部材７５が光軸７６、７７と垂直な軸７８で退避し、続いて第１保持部材７１がプリズム８５が移動して形成される空間に、第１の光軸７６上を移動して収納される。この時第１保持部材７１と第２保持部材７２は連動して移動する。
【００７１】
第１のモータ１０４が駆動すると駆動アーム１００が駆動アーム軸１０３を中心に回転し、第１保持部材７１が広角端（ワイド端）のプリズム挿脱位置まで移動する。次にプリズム８５を保持したプリズム保持部材（屈曲保持部材）７５を退避位置に退避させる。図１２と図１７を用いて、プリズム保持部材７５を退避位置に移動させる機構について説明する。プリズム８５を保持するプリズム保持部材７５は、摺動ガイド部２００ｂと摺動ガイド穴２００ａを有し、摺動ガイド穴２００ａは筐体７０に固定された第２ガイド軸１５１と嵌合している。また、摺動ガイド部２００ｂは、第２モータ１５０によって駆動される駆動軸１６０と係合ネジ１６１から成る屈曲移動部材により移動する。係合ネジ１６１に摺動ガイド部２００ｂが連結され、第２モータ１５０の回転により、駆動軸１６０が回転し、その回転により係合ネジ１６１が移動することで、プリズム保持部材７５を第２ガイド軸１５１に沿って移動し、図１７に示す退避位置に退避する。
【００７２】
続いて、第１モータ１０４が駆動し、駆動アーム１００の回転により、第１保持部材７１が沈胴位置（図１８〜図２０参照）に移動することで、沈胴動作が完了する。
【００７３】
起動時については、沈胴動作と逆の順に動く。すなわち、第１保持部材７１が広角位置まで移動する。次にプリズム保持部材７５が屈曲位置に移動する。
【００７４】
以上説明したように、複数のレンズ群を有し、少なくとも第１の光軸方向に配置され、被写体からの光束が入射するＡレンズ群と、Ａレンズ群より像側に位置し、第２の光軸方向に配置されたＢレンズ群と、Ａレンズ群とＢレンズ群の間に位置し、第１の光軸を第２の光軸方向に折り曲げる屈曲部を有し、Ａレンズ群とＢレンズ群が、変倍時にそれぞれの光軸方向に移動可能に構成したレンズユニットにおいて、Ａレンズ群とＢレンズ群とを駆動する一つのアクチュエータと、Ａレンズ群を移動させる第１の駆動機構と、Ｂレンズ群を移動させる第２の駆動機構と、アクチュエータからの駆動力を第１の駆動機構と第２の駆動機構に同時に伝達する連結部材とを有する構成とすることで、１つのアクチュエータにより２つのレンズ群を移動させることで、移動精度が向上すると共にコストダウンを図ることができる。
【００７５】
また、Ａレンズ群は、非回転で移動し、第１の駆動機構は、アーム状の駆動部材を有する構成とすることで、駆動のための構成が簡単となり、小型化を図ることができる。
【００７６】
また、第１の駆動機構と第２の駆動機構が連結部材とカム結合することで、レンズ群の動きをなめらかにすることができる。
【００７７】
また、連結部材は、支持軸と支持軸を中心に回転する連結板とを有し、支持軸を中心とする連結板の回転により、第１の駆動機構及び第２の駆動機構に駆動力を与える構成とすることで、よりスムーズに連動して動かすことができ、移動精度が向上する。
【００７８】
また、支持軸は、屈曲部とＢレンズ群との間に配置されていることで、さらなるスムーズな動きをすることができる。
【００７９】
また、連結板の一方の面に第１の駆動機構との連結部が形成され、他方の面に第２の駆動機構との連結部を形成するようにしたので、より小型で、スムーズな動きが達成できる。
【図面の簡単な説明】
【００８０】
【図１】本発明のデジタルカメラの外観を模式的に示す斜視図（ａ）および背面図（ｂ）。
【図２】本発明のデジタルカメラの構成を模式的に示す図。
【図３】本発明の第１の実施形態のレンズユニットの正面図。
【図４】本発明の第１の実施形態のレンズユニットの広角状態の側面図。
【図５】本発明の第１の実施形態のレンズユニットの望遠状態の側面図。
【図６】本発明の第１の実施形態のレンズユニットの沈胴時もしくは起動時に第１保持部材を移動させた位置（プリズム挿脱位置）の側面図。
【図７】本発明の第１の実施形態のレンズユニットの沈胴時もしくは起動時に第１保持部材を移動させた位置（プリズム挿脱位置）の上面図。
【図８】本発明の第１の実施形態のレンズユニットの沈胴時の正面図。
【図９】本発明の第１の実施形態のレンズユニットの沈胴時の側面図。
【図１０】本発明の第１の実施形態のレンズユニットの沈胴時の上面図。
【図１１】本発明の第１の実施形態の連結部材周辺の模式的な斜視図。
【図１２】本発明の第２の実施形態のレンズユニットの正面図。
【図１３】本発明の第２の実施形態のレンズユニットの広角状態の側面図。
【図１４】本発明の第２の実施形態のレンズユニットの望遠状態の側面図。
【図１５】本発明の第２の実施形態のレンズユニットの広角状態の上面図。
【図１６】本発明の第２の実施形態のレンズユニットの望遠状態の上面図。
【図１７】本発明の第２の実施形態のレンズユニットの沈胴時の正面図の一部。
【図１８】本発明の第２の実施形態のレンズユニットの沈胴時の側面図。
【図１９】本発明の第２の実施形態のレンズユニットの沈胴時の上面図。
【図２０】本発明の第２の実施形態のレンズユニットの望遠状態及び沈胴状態の連結部材周辺の模式的な斜視図。
【符号の説明】
【００８１】
１０  カメラ筐体
１２、３０  レンズユニット
１５  表示部
１９  レリーズボタン
２０  電源ボタン
２５  撮像レンズ駆動部
２６  撮像素子
２７  制御部
６１  第３ガイド軸
６２  第３駆動軸
６３  第３モータ
７０  筐体
７０ｄ、７０ｅ  壁面
７１  第１保持部材
７２  第２保持部材
７２ａ  摺動ガイド穴
７２ｂ  第２ばね
７２ｃ  変倍当接部
７２ｄ  沈胴当接部
７２ｆ  ガイドピン
７２ｔ  手ぶれ補正ユニット
７３  第３保持部材
７３ａ  第３摺動ガイド穴
７５  プリズム保持部材（屈曲保持部材）
７６  第１の光軸
７７  第２の光軸
７８  軸
８１  第１レンズ群
８２  第２レンズ群
８３ｔ  手ぶれ補正レンズ
８３  第３レンズ群
８５  プリズム
１００  駆動アーム
１００ａ、１００ｂ、１００ｃ、４０１、４０２  ガイドピン
１０１  従動アーム
１０１Ａ  第１従動アーム
１０１Ｂ  第２従動アーム
１０１ａ、１０１ｂ  従動ピン
１０３  駆動アーム軸
１０４  第１モータ
１０５  直進筒
１０５ａ  底部
１０５ｂ  当接部
１０６  連結板
１０６ａ  変位当接部
１０７  減速ギヤ列
１０８  扇形ギヤ部
１０９  連結板溝
１１０  直進筒圧縮バネ
１２０  第１ガイド軸
１３０  連結板軸
１５０  第２モータ
１５１  第２ガイド軸
１６０、４０１、４０２  駆動軸
１６１  係合ネジ
２００ａ  摺動ガイド穴
２００ｂ  摺動ガイド部
３００  連結部材
４００  連結板
５００  カム板
５０１、６００、７１１、７１２、７１３、７１４、７１８  ガイド溝
７１５ａ、７１５ｂ  従動溝
７１６  底部
【図１】
2008039884.tif 000003
【図２】
2008039884.tif 000004
【図３】
2008039884.tif 000005
【図４】
2008039884.tif 000006
【図５】
2008039884.tif 000007
【図６】
2008039884.tif 000008
【図７】
2008039884.tif 000009
【図８】
2008039884.tif 000010
【図９】
2008039884.tif 000011
【図１０】
2008039884.tif 000012
【図１１】
2008039884.tif 000013
【図１２】
2008039884.tif 000014
【図１３】
2008039884.tif 000015
【図１４】
2008039884.tif 000016
【図１５】
2008039884.tif 000017
【図１６】
2008039884.tif 000018
【図１７】
2008039884.tif 000019
【図１８】
2008039884.tif 000020
【図１９】
2008039884.tif 000021
【図２０】
2008039884.tif 000022